(57)【要約】【課題】  液体注出容器から内容物を別容器に注ぐ行為に慣れていない者等でも、内容物を容易かつ確実に別容器に注ぐことができる液体注出容器及びこれに充填される飲食品を提供すること。【解決手段】  方形の前部パネル、２枚の側部パネル及び後部パネルを四角筒状に成形した胴部と、当該胴部の上部に形成される切妻型又は平面状の頂部とを備えてなる液体注出容器において、前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されていることを特徴とする液体注出容器。【選択図】  図２
2013230861.tif 000002
【特許請求の範囲】
【請求項１】
方形の前部パネル、２枚の側部パネル及び後部パネルを四角筒状に成形した胴部と、当該胴部の上部に形成される頂部と
を備えてなる液体注出容器において、
前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されている
ことを特徴とする液体注出容器。
【請求項２】
方形の前部パネル、２枚の側部パネル及び後部パネルを四角筒状に成形した胴部と、当該胴部の上部に形成される切妻型の頂部と
を備えてなる液体注出容器において、
前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されている
ことを特徴とする液体注出容器。
【請求項３】
方形の前部パネル、２枚の側部パネル及び後部パネルを四角筒状に成形した胴部と、当該胴部の上部に形成される平面状の頂部と
を備えてなる内容物注出容器において、
前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されている
ことを特徴とする液体注出容器。
【請求項４】
前記三角パネルと前記前部パネルの上辺側から下辺側までの部分、あるいは、前記三角パネルと前部パネル１１ａの上辺から下方に延びる前記折り込み部までの部分が前記折り込み部によって前方に山型になるように折り曲げるための折り込み作用表示部を前記側部パネルに表示した
ことを特徴とする請求項１〜３いずれか一項記載の液体注出容器。
【請求項５】
前記折り込み作用表示部の表示範囲を、前記前部パネルに形成されている前記折り込み部の長さの１．２倍に相当する範囲とした
ことを特徴する請求項４記載の液体注出容器。
【請求項６】
請求項１〜５のいずれかに記載の液体抽出容器に充填された飲食品。
【発明の詳細な説明】
【技術分野】
【０００１】
この発明は、牛乳や果汁飲料等の内容物をこぼすことなく確実に注ぐことができる液体注出容器及びこれに充填される飲食品に関する。
【背景技術】
【０００２】
牛乳や果汁飲料等を収容する容器として、容器本体の頂部が平面状に加工された容器又は図４に示すような容器本体の頂部が切妻屋根型に加工された箱型紙容器が以前から知られている。
【０００３】
図４は従来の切妻屋根型紙容器を表す図であって、前部パネル１４ａ、側部パネル１４ｂ（２枚）及び後部パネル（図示していない）の４枚の方形パネルを四角筒状の胴部１４に成形し、胴部１４の上部を切妻型の頂部１３に成形したものである。
【０００４】
前部パネル１４ａ及び後部パネルの上辺に連設され、斜め折れ線が形成された前部折り込みパネル１３ａ及び後部折り込みパネル（図示していない）を、当該斜め折れ線に沿って内側方向に折り曲げると共に、側部パネル１４ｂ（２枚）の上辺に連設された屋根パネル１３ｂ（２枚）を内側方向に折り曲げ、前部折り込みパネル１３ａの上辺部同士、後部折り込みパネルの上辺部同士及び屋根パネル１３ｂ（２枚）の上辺部同士を接着することにより切妻型の頂部１３が成形される（図４（ａ））。なお、このような容器は、特許文献１〜３等に開示されている。
【先行技術文献】
【特許文献】
【０００５】
【特許文献１】実用新案登録第３１０２２６２号公報
【特許文献２】実公平４−５４９１７号公報
【特許文献３】実開平７−３３８２０号公報
【発明の概要】
【発明が解決しようとする課題】
【０００６】
図４（ａ）に示す開封前の切妻屋根型紙容器１２において、屋根パネル１３ｂ（２枚）を、当該屋根パネル１３ｂ（２枚）に形成されている斜め折れ線に沿って外側方向に開くように折り曲げて、前部折り込みパネル１３ａの上辺部同士及び屋根パネル１３ｂ（２枚）の上辺部同士の前部折り込みパネル１３ａ側の接着部分を剥がす。
【０００７】
その後、前部折り込みパネル１３ａを、前記斜め折れ線に沿って折り曲げながら前方へ引き出すと、図４（ｂ）に示すように、頂部１３に注出口１０が形成される。
【０００８】
この切妻屋根型紙容器１２を傾けると、図４（ｃ）に示されるように、前部パネル１４ａの上辺から前部折り込みパネル１３ａの上辺にかけて、勾配が形成される。
【０００９】
従って、従来の切妻屋根型紙容器１２を傾けて、牛乳や果汁飲料等の内容物を別容器に注出する場合、この勾配の形成により、牛乳や果汁飲料等の内容物が予想に反する数量で、及び／又は予想に反する方向へ注出口１０から飛び出すことがある。
【００１０】
また、従来の切妻屋根型紙容器１２を傾けて、牛乳や果汁飲料等の内容物を別容器に注出する場合、この勾配の形成により、切妻屋根型紙容器１２に収容する牛乳や果汁飲料等の内容物の重量によっては、切妻屋根型紙容器１２が持ちにくくなり、不意に切妻屋根型紙容器１２を落としてしまうこともある。
【００１１】
従来の平面状の頂部を有する紙容器においては、当該容器の前部パネル及び後部パネルの上端に沿って折られて接着された三角形状の耳部の一方を当該前部パネル又は後部パネルから剥がし、その先端部を切断して開封して注出口を形成する。
【００１２】
この平面状の頂部を有する紙容器を傾けると、前部パネル又は後部パネルの上辺から前記耳部の先端側にかけて勾配が形成される。
【００１３】
従って、従来の平面状の頂部を有する紙容器を傾けて、牛乳や果汁飲料等の内容物を別容器に注出する場合、この勾配の形成により、牛乳や果汁飲料等の内容物が予想に反する数量で、及び／又は予想に反する方向へ注出口から飛び出すことがある。
【００１４】
上記は特に、切妻屋根型紙容器及び平面状の頂部を有する紙容器から別容器に注ぐ行為に慣れていない者、自らの力を加減できない者、物を持つ力（握力等）が弱い者として、子供や高齢者等に見られる現象である。
【００１５】
そこで、本発明は、切妻屋根型紙容器などから牛乳や果汁飲料等の内容物を別容器に注ぐ行為に慣れていない者等でも、牛乳や果汁飲料等の内容物を容易かつ確実に別容器に注ぐことができる液体注出容器及びこれに充填される飲食品を提供することを目的とする。
【００１６】
また、力の入る持ち方とすることで、液体注出容器を不用意に落とすことを防ぐ液体注出容器及びこれに充填される飲食品を提供することを目的とする。
【課題を解決するための手段】
【００１７】
上記課題を解決するため、以下の発明を提案する。
【００１８】
請求項１の発明は、
方形の前部パネル、２枚の側部パネル及び後部パネルを四角筒状に成形した胴部と、当該胴部の上部に形成される頂部と
を備えてなる液体注出容器において、
前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されている
ことを特徴とする液体注出容器である。
【００１９】
請求項２の発明は、
方形の前部パネル、２枚の側部パネル及び後部パネルを四角筒状に成形した胴部と、当該胴部の上部に形成される切妻型の頂部と
を備えてなる液体注出容器において、
前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されている
ことを特徴とする液体注出容器である。
【００２０】
請求項３の発明は、
方形の前部パネル、２枚の側部パネル及び後部パネルを四角筒状に成形した胴部と、当該胴部の上部に形成される平面状の頂部と
を備えてなる内容物注出容器において、
前記前部パネルに連設され、斜め折れ線が形成された前部折り込みパネルが前記斜め折れ線に沿って折り込まれる際に、前記前部折り込みパネルに形成される三角パネルの頂点から前記前部パネルの中央付近まで折り込み部が形成されている
ことを特徴とする液体注出容器である。
【００２１】
請求項４の発明は、
前記三角パネルと前記前部パネルの上辺側から下辺側までの部分、あるいは、前記三角パネルと前部パネル１１ａの上辺から下方に延びる前記折り込み部までの部分が前記折り込み部によって前方に山型になるように折り曲げるための折り込み作用表示部を前記側部パネルに表示した
ことを特徴とする請求項１〜３いずれか一項記載の液体注出容器である。
【００２２】
請求項５の発明は、
前記折り込み作用表示部の表示範囲を、前記前部パネルに形成されている前記折り込み部の長さの１．２倍に相当する範囲とした
ことを特徴する請求項４記載の液体注出容器である。
【００２３】
請求項６の発明は、
請求項１〜５のいずれかに記載の液体抽出容器に充填された飲食品である。
【発明の効果】
【００２４】
本発明によれば、液体注出容器から牛乳や果汁飲料等の内容物を別容器に注ぐ行為に慣れていない者等でも、牛乳や果汁飲料等の内容物を容易かつ確実に別容器に注ぐことができる液体注出容器及びこれに充填される飲食品を提供することができる。
【００２５】
また、力の入る持ち方とすることで、液体注出容器を不用意に落とすことを防ぐ液体注出容器及びこれに充填される飲食品を提供することができる。
【図面の簡単な説明】
【００２６】
【図１】本発明の液体注出容器の一実施形態を表す図であって、（ａ）開封前の斜視図、（ｂ）折り込み部が表示されている状態を表す斜視図、（ｃ）内容物を注ぐ状態の一例を表す側面図、（ｄ）内容物を注ぐ状態の他の例を表す側面図。
【図２】本発明の液体注出容器の一実施例を示す図であって、（ａ）開封前の斜視図、（ｂ）開封時の斜視図、（ｃ）内容物を注ぐ状態の一例を表す側面図、（ｄ）内容物を注ぐ状態の他の例を表す側面図。
【図３】本発明の実施例に係る液体注出容器の使用例を示す図であって、（ａ）液体注出容器を指で支えながら内容物を注ぐ状態、（ｂ）液体注出紙容器を指及び掌で支えながら内容物を注ぐ状態。
【図４】従来の切妻屋根型紙容器を示す図であって、（ａ）開封前の斜視図、（ｂ）開封時の斜視図、（ｃ）内容物を注ぐ状態の側面図。
【発明を実施するための形態】
【００２７】
本発明において、内容物とは、本発明で得られる液体抽出容器に充填されたものをいう。内容物の物性は注ぐことができるものであれば、特に制限されることはないが、液状、糊状、ゲル状などの形状を例示でき、その中でも流動性の高い液状の飲食品が好ましく、その中で特に制限されることはないが、水、牛乳、クリーム、飲料、コーヒー、茶、果汁、スープ、サラダ油などの食用油脂、ドレッシング、出し汁、めんつゆ、みりん、日本酒、ぶどう酒、焼酎、蒸留酒などを例示できる。
【００２８】
本発明において、頂点付近とは、厳密な意味での頂点の位置のみならず、本発明の効果が享受できる折り込みの確保が可能な、頂点周辺の位置も含む。
【００２９】
本発明において、中央付近とは、厳密な意味での中央の位置のみならず、本発明の効果が享受できる折り込みの確保が可能な、中央周辺の位置も含む。
【００３０】
以下、添付図面を参照して、本発明の実施形態について説明する。
【００３１】
図１は、本発明の一実施形態に係る液体注出容器１ａを示すものであり、平面状の頂部２及び四角筒状の胴部３からなる有底の液体注出容器１ａである。
【００３２】
胴部３は、前部パネル３ａ、側部パネル３ｂ（２箇所）、及び後部パネル（図示していない）の４枚の方形パネルを有底の四角筒状に成形したものである。
【００３３】
前部パネル３ａ、及び後部パネルの上辺に連設され、折れ線２ｅ（２箇所）が形成された前部折り込みパネル２ａ、後部折り込みパネル（図示していない）を、当該折れ線２ｅ（２箇所）に沿って、外側に折り曲げて三角形状の耳部を形成させると共に、側部パネル３ｂ（２箇所）の上辺に連設された屋根パネル２ｂ（２箇所）を内側に折り曲げ、前部折り込みパネル２ａの上辺部同士、後部折り込みパネルの上辺部同士、及び屋根パネル２ｂ（２箇所）の上辺部同士を接着する。そして、前記三角形状に形成された前部折り込みパネル２ａ、後部折り込みパネル（図示していない）をそれぞれ、前部パネル３ａ、後部パネル（図示していない）の上辺に沿って折り曲げ、前部パネル３ａ、後部パネルに接着することにより、平面状の頂部２が成形される（図１（ａ））。
【００３４】
液体注出容器１ａの前部パネル３ａ、及び前部パネル３ａに連設され、折れ線２ｅ（２箇所）が斜めに形成された前部折り込みパネル２ａに、前部折り込みパネル２ａが折れ線２ｅ（２箇所）に沿って折り込まれる際に形成される三角パネル２ｃの頂点付近から前部パネル３ａの中央付近まで折り込み部４が形成されている（図１（ｂ））。
【００３５】
図１（ａ）に示す開封前の液体注出容器１ａにおいて、三角形状の前部折り込みパネル２ａを前部パネル３ａの上辺に沿って外側方向に開くように折り曲げて、前部折り込みパネル２ａと前部パネル３ａとの接着部分を剥がす。
【００３６】
その後、前部折り込みパネル２ａに形成されている切り取り線７に沿って、前部折り込みパネル２ａを切断すると図１（ｃ）に示すように、三角パネル２ｃが台形パネル２ｄに変形し、頂部２に注出口６が形成される。
【００３７】
そして、側部パネル３ｂ（２箇所）に力を加えながら、液体注出容器１ａを掴むと、図１（ｃ）に示すように、台形パネル２ｄの上底から下底までの部分と前部パネル３ａの上辺側から下辺側までの部分が折り込み部４によって、前方に山型になるよう折り曲げられる。
【００３８】
あるいは、図１（ｄ）に示すように、台形パネル２ｄの上底から下底までの部分と前部パネル３ａの上辺から下方に延びる折り込み部４までの部分が折り込み部４によって、前方に山型になるよう折り曲げられる。
【００３９】
そこで、折り込み部４に沿って、台形パネル２ｄの上底から下底までの部分と前部パネル３ａの上辺側から下辺側までの部分、あるいは、台形パネル２ｄの上底から下底までの部分と前部パネル３ａの上辺から下方に延びる折り込み部４までの部分が前方に山型に折れるように側部パネル３ｂ、３ｂに力を加えると、台形パネル２ｄの上底から下底までの部分の内側と前部パネル３ａの上辺側から下辺側までの部分の内側、あるいは、台形パネル２ｄの上底から下底までの部分の内側と前部パネル３ａの上辺から下方に延びる折り込み部４までの部分の内側とに同一直線の注出経路が形成される。
【００４０】
従って、従来の平面状の頂部を有する紙容器における側部パネルの上辺側から耳部にかけて、勾配が形成されるようなことがない。
【００４１】
そこで、前記同一直線の注出経路を使用することにより、液体注出容器１ａに収容された牛乳や果汁飲料等の内容物８を容易かつ確実に別容器に注ぐことができる。
【００４２】
また、本発明の液体注出容器１ａにおいて、図１に示されるように、台形パネル２ｄの上底から下底までの部分と前部パネル３ａの上辺側から下辺側までの部分、あるいは、台形パネル２ｄの上底から下底までの部分と前部パネル３ａの上辺から下方に延びる折り込み部４までの部分が折り込み部４によって、前方に山型になるように折り曲げるための折り込み作用表示部５を側部パネル３ｂ（２箇所又は１箇所）に表示させてもよい。
【００４３】
作用表示部５の表示範囲は、本発明の効果を享受できる範囲で適宜設定すればよいが、一例として、前部パネル３ａの上辺から下方に延びる折り込み部４の長さの１．２倍に相当する範囲が好ましい。
【００４４】
折り込み作用表示部５を側部パネル２ｂ（２箇所又は１箇所）に表示させることで、折り込み作用表示部５の何れの場所を掴んでも、台形パネル２ｄの上底から下底までの部分と前部パネル３ａの上辺側から下辺側までの部分、あるいは、台形パネル２ｄの上底から下底までの部分と前部パネル３ａの上辺から下方に延びる折り込み部４までの部分が折り込み部４によって、前方に山型になるよう折り曲げることができる。
【００４５】
特に、側部パネル３ｂの上辺側であり前部パネル３ａ側付近の箇所を掴むと、台形パネル２ｄの上底から下底までの部分と前部パネル３ａの上辺側から下辺側までの部分、あるいは、台形パネル２ｄの上底から下底までの部分と前部パネル３ａの上辺から下方に延びる折り込み部４までの部分を折り込み部４によって、前方に山型になるよう折り曲げやすくなる。
【００４６】
そして、折り込み作用表示部５の任意の場所を掴んで、台形パネル２ｄの上底から下底までの部分と前部パネル３ａの上辺側から下辺側までの部分、あるいは、台形パネル２ｄの上底から下底までの部分と前部パネル３ａの上辺から下方に延びる折り込み部４までの部分を折り込み部４によって、前方に山型になるように側部パネル３ｂ（２箇所）に力を加えた状態で、液体注出容器１ａを支持することができるので、液体注出容器１ａを不用意に落とすことを防ぐことができる。
【００４７】
液体注出容器１ａに使用される材料は、板紙を基材として、必要に応じて、ポリエチレンやポリエチレンテレフタレート等を積層したものを使用することができるが、折り込み部４を形成することができ、側部パネル３ｂ（２箇所）に相当するパネルに力を加えることにより、特に、側部パネル３ｂに相当するパネルの前述した折り込み作用表示部５に相当する領域に力を加えることにより、台形パネル２ｄに相当するパネルの上底から下底までの部分の内側と前部パネル３ａに相当するパネルの上辺側から下辺側までの部分の内側、あるいは、台形パネル２ｄに相当するパネルの上底から下底までの部分の内側と前部パネル３ａに相当するパネルの上辺から下方に延びる折り込み部４までの部分の内側とに、上述した同一直線の注出経路が形成できる材料であれば特に限定されず、種々の形態に変更可能である。
【実施例】
【００４８】
本発明の実施例について、図２及び図３を参照して説明する。
【００４９】
図２は、本発明の一実施例に係る液体注出容器１ｂを示すものであり、切妻型の頂部９及び四角筒状の胴部１１からなる有底の液体注出容器１ｂである。
【００５０】
胴部１１は、前部パネル１１ａ、側部パネル１１ｂ（２箇所）、及び後部パネル（図示していない）の４枚の方形パネルを有底の四角筒状に成形したものである。
【００５１】
前部パネル１１ａ、及び後部パネルの上辺に連設され、第一の折れ線９ｄ（２箇所）が形成された前部折り込みパネル９ａ、後部折り込みパネル（図示していない）を、当該第一の折れ線９ｄ（２箇所）に沿って、内側に折り曲げると共に、側部パネル１１ｂ（２箇所）の上辺に連設された屋根パネル９ｂ（２箇所）を内側に折り曲げ、前部折り込みパネル９ａの上辺部同士、後部折り込みパネルの上辺部同士、及び屋根パネル９ｂ（２箇所）の上辺部同士を接着することにより、切妻型の頂部９が成形される（図２（ａ））。
【００５２】
本実施例の液体注出容器１ｂの前部折り込みパネル９ａ及び前部パネル１１ａには、前部折り込みパネル９ａが内側に折り込まれる際に形成される三角パネル９ｃの頂点付近から前部パネル１１ａの中央付近まで折り込み部４が形成されている。
【００５３】
図２（ａ）に示す開封前の液体注出容器１ｂにおいて、屋根パネル９ｂ（２箇所）を当該屋根パネル９ｂ（２箇所）に形成されている第二の折れ線９ｅに沿って、外側方向に開くように折り曲げて、前部折り込みパネル９ａの上辺部同士、及び屋根パネル９ｂ、９ｂの上辺部同士の前部折り込みパネル９ａ側の接着部分を剥がす。
【００５４】
その後、前部折り込みパネル９ａを第一の折れ線９ｄ（２箇所）に沿って、折り曲げながら前方へ引き出すと、図２（ｂ）に示すように、頂部９に注出口１０が形成される。
【００５５】
そこで、側部パネル１１ｂ（２箇所）に力を加えながら、液体注出容器１ｂを掴むと、図２（ｃ）に示すように、三角パネル９ｃの頂点から底辺までの部分と前部パネル１１ａの上辺側から下辺側までの部分が折り込み部４によって、前方に山型になるよう折り曲げられる。
【００５６】
あるいは、図２（ｄ）に示すように、三角パネル９ｃの頂点から底辺までの部分と前部パネル１１ａの上辺から下方に延びる折り込み部４までの部分が折り込み部４によって、前方に山型になるよう折り曲げられる。
【００５７】
この折り曲げによって、三角パネル９ｃの頂点から底辺までの部分の内側と前部パネル１１ａの上辺側から下辺側までの部分の内側、あるいは、三角パネル９ｃの頂点から底辺までの部分の内側と前部パネル１１ａの上辺から下方に延びる折り込み部４までの部分の内側とに同一直線の注出経路が形成されるので、従来のような切妻屋根型紙容器１２における前部パネル１４ａの上辺側から前部折り込みパネル１３ａの上辺側にかけて、勾配が形成されるようなことがない。
【００５８】
従って、前記同一直線の注出経路によって、液体注出容器１ｂに収容された牛乳や果汁飲料等の内容物８を容易かつ確実に別容器に注ぐことができる。
【００５９】
また、三角パネル９ｃの頂点から底辺までの部分と前部パネル１１ａの上辺側から下辺側までの部分、あるいは、三角パネル９ｃの頂点から底辺までの部分と前部パネル１１ａの上辺から下方に延びる折り込み部４までの部分が折り込み部４によって、前方に山型に折り曲げられる構造の液体注出容器１ｂとしたので、前部折り込みパネル９ａを内側に折畳んで、注出口１０を閉じる際に特有の音が発生する。この音の発生によって、注出口１０の開閉の確認を行うことができる。
【００６０】
本実施例に係る液体注出容器１ｂを用いて、液体注出容器１ｂに収容された牛乳や果汁飲料等の内容物８を容易かつ確実に別容器に注ぐことができることを確認するための実験を下記の条件で行った。
【００６１】
（１）本実施例に係る液体注出容器１ｂ（容量１，０００ｍＬ）及び図４に示される従来の切妻屋根型紙容器１２（容量１，０００ｍＬ）を対象とした。  
（２）内容物が１００ｍＬ、２００ｍＬ又は５００ｍＬ充填された前記２種の容器を用意し、各容量の前記２種の容器を直径５０ｍｍ、高さ５５ｍｍ、容量１００ｍＬの比較的サイズが小さいステンレス容器に、内容物を急いで注ぐ動作をそれぞれ１０回ずつ行い、こぼさずに注げた回数を百分率で表した。
【００６２】
この実験の結果を、表１に示した。
【表１】
2013230861.tif 000003
【００６３】
表１で示されるように、従来の切妻屋根型紙容器１２では、こぼさずに内容物をステンレス容器に注ぐことができなかった回数が１乃至３回であった。
【００６４】
一方、本実施例に係る液体注出容器１ｂでは、当該容器内の内容物の残量にかかわらず、こぼさずに内容物をステンレス容器に注ぐことができた。
【００６５】
本発明の液体注出容器１ｂにおいて、図２に示されるように、三角パネル９ｃの頂点付近から底辺までの部分と前部パネル１１ａの上辺側から下辺側までの部分、あるいは、三角パネル９ｃの頂点から底辺までの部分と前部パネル１１ａの上辺から下方に延びる折り込み部４までの部分が折り込み部４によって、前方に山型になるように折り曲げるための折り込み作用表示部５を側部パネル１１ｂ（２箇所又は１箇所）に表示させてもよい。
【００６６】
作用表示部５の表示範囲は、本発明の効果を享受できる範囲で適宜設定すればよいが、一例として、前部パネル１１ａの上辺から下方に延びる折り込み部４の長さの１．２倍に相当する範囲が好ましい。
【００６７】
折り込み作用表示部５を側部パネル１１ｂ（２箇所又は１箇所）に表示させることで、折り込み作用表示部５の何れの場所を掴んでも、三角パネル９ｃの頂点付近から底辺までの部分と前部パネル１１ａの上辺側から下辺側までの部分、あるいは、三角パネル９ｃの頂点から底辺までの部分と前部パネル１１ａの上辺から下方に延びる折り込み部４までの部分が折り込み部４によって、前方に山型になるよう折り曲げることができる。
【００６８】
特に、側部パネル１１ｂの上辺側であり前部パネル１１ａ側付近の箇所を掴むと、三角パネル９ｃの頂点付近から底辺までの部分と前部パネル１１ａの上辺側から下辺側までの部分、あるいは、三角パネル９ｃの頂点から底辺までの部分と前部パネル１１ａの上辺から下方に延びる折り込み部４までの部分を折り込み部４によって、前方に山型になるよう折り曲げやすくなる。
【００６９】
そして、図３（ａ）に示されるように、折り込み作用表示部５の任意の場所を掴んで、三角パネル９ｃの頂点付近から底辺までの部分と前部パネル１１ａの上辺側から下辺側までの部分、あるいは、三角パネル９ｃの頂点から底辺までの部分と前部パネル１１ａの上辺から下方に延びる折り込み部４までの部分を折り込み部４によって、前方に山型になるように側部パネル１１ｂ（２箇所）に力を加えると、前部パネル１１ａが方形から略台形に変形した液体注出容器１ｂとなり、側部パネル１１ｂ（２箇所）に力を加えた状態で支持することができるので、液体注出容器１ｂを不用意に落とすことを防ぐことができる。
【００７０】
また、図３（ｂ）に示されるように、前部パネル１１ａを掌で支えながら、折り込み作用表示部５の任意の場所を掴んで、三角パネル９ｃの頂点付近から底辺までの部分と前部パネル１１ａの上辺から下辺側までの部分、あるいは、三角パネル９ｃの頂点から底辺までの部分と前部パネル１１ａの上辺から下方に延びる折り込み部４までの部分を折り込み部４によって、前方に山型になるように側部パネル１１ｂ（２箇所）に力を加えると、前部パネル１１ａが方形から略台形に変形した液体注出容器１ｂとなり、側部パネル１１ｂ（２箇所）に力を加えた状態及び前部パネル１１ａを掌で支えた状態で支持することができる。
【００７１】
このように液体注出容器１ｂを支持することで、液体注出容器１ｂを不用意に落とすことをさらに確実に防ぐことができる。
【００７２】
また、液体注出容器１ｂから牛乳や果汁飲料等の内容物８を別容器に注ぐ行為に慣れない者等（子供や高齢者等）であっても、折り込み部４によって、三角パネル９ｃの頂点付近から底辺までの部分の内側と前部パネル１１ａの上辺から下辺側までの部分の内側、あるいは、三角パネル９ｃの頂点から底辺までの部分の内側と前部パネル１１ａの上辺から下方に延びる折り込み部４までの部分の内側とに形成される同一直線の注出経路を利用して、液体注出容器１ｂに収容された牛乳や果汁飲料等の内容物８を容易かつ確実に別容器に注ぐことができる。
【００７３】
液体注出容器１ｂに使用される材料は、板紙を基材として、必要に応じて、ポリエチレンやポリエチレンテレフタレート等を積層したものを使用することができるが、折り込み部４を形成することができ、側部パネル１１ｂ（２箇所）に相当するパネルに力を加えることにより、特に、側部パネル１１ｂに相当するパネルの前述した折り込み作用表示部５に相当する領域に力を加えることにより、三角パネル９ｃに相当するパネルの頂点から底辺までの部分の内側と前部パネル１１ａに相当するパネルの上辺側から下辺側までの部分の内側、あるいは、三角パネル９ｃに相当するパネルの頂点から底辺までの部分の内側と前部パネル１１ａに相当するパネルの上辺から下方に延びる折り込み部４までの部分の内側とに、上述した同一直線の注出経路が形成できる材料であれば特に限定されず、種々の形態に変更可能である。
【００７４】
以上、添付図面を参照して、本発明の好ましい実施形態、実施例を説明したが、本発明は、これらに限られるものではなく、特許請求の範囲の記載から把握される技術的範囲において種々の形態に変更可能である。
【符号の説明】
【００７５】
１ａ、１ｂ  液体注出容器
２  平面状の頂部
２ａ  前部折り込みパネル
２ｂ  頂部パネル
２ｃ  三角パネル
２ｄ  台形パネル
２ｅ  折れ線
３、１１、１４  胴部
３ａ、１１ａ、１４ａ  前部パネル
３ｂ、１１ｂ、１４ｂ  側部パネル
４  折り込み部
５  折り込み作用表示部
６、１０  注出口
７  切り取り線
８  内容物
９、１３  切妻型の頂部
９ａ、１３ａ  前部折り込みパネル
９ｂ、１３ｂ  屋根パネル
９ｃ  三角パネル
９ｄ  第一の折れ線
９ｅ  第二の折れ線
１２  従来の切妻屋根型紙容器
【図１】
2013230861.tif 000004
【図２】
2013230861.tif 000005
【図３】
2013230861.tif 000006
【図４】
2013230861.tif 000007